(57)【要約】【課題】透明電極と透明電極制御配線が不具合なく電気的に接続することができる表示媒体を提供することを目的とする。【解決手段】背面電極と、その背面電極に厚み方向に対向して配される透明電極と、背面電極と透明電極に挟まれた表示層を有し背面電極と透明電極間の電位差によって表示を切り替える表示媒体において、透明電極の視認側と反対の面側には表示層を除去した残存部が付着する表示層除去部が設けられ、表示層除去部には、流動性を具備する導電体を介して透明電極制御配線が配されている。【選択図】図１
2015179156.tif 000002
【特許請求の範囲】
【請求項１】
背面電極と、該背面電極に厚み方向に対向して配される透明電極と、前記背面電極と透明電極に挟まれた表示層を有し前記背面電極と透明電極間の電位差によって表示を切り替える表示媒体において、
前記透明電極の視認側と反対の面側には前記表示層を除去した残存部が付着する表示層除去部が設けられ、前記表示層除去部には、流動性を具備する導電体を介して透明電極制御配線が配されていることを特徴とする表示媒体
【請求項２】
透明電極層の全面に表示層が積層された表示用シートの前記表示層の一部を除去して前記透明電極層が露出するように除去領域を形成する工程と、
前記除去領域に残された表示層の残存部を覆うように、流動性を具備する導電体を介し透明電極制御配線を設けて、前記透明電極層と前記透明電極制御配線を電気的に接続させる工程と、
を有することを特徴とする表示媒体の製造方法
【発明の詳細な説明】
【技術分野】
【０００１】
本発明は、対向配置された２つの電極層間に配置された情報表示層において電極層に印加される電圧に基づいて情報を表示する情報表示媒体に関する。
【背景技術】
【０００２】
従来より、情報を表示する表示媒体として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。
【０００３】
近年、上述したような表示媒体に加えて、デジタル情報を紙のように薄い表示媒体に表示する薄型の情報表示媒体が普及しはじめている。このような薄型の情報表示媒体は、紙のように薄いために携帯がしやすいとともに、消費電力が少なく、また視野角が広く、さらには、電極に印加する電圧によって表示される情報を書き換えることができるとともに、電源を切断した場合でも表示内容を保持できることから、今後のさらなる普及が予想される。
【０００４】
図３は、薄型の表示媒体の一例を示す図である。
【０００５】
本例の表示媒体１０は、図３に示すように、ガラスや透明フィルム等からなる透明基板の一方の面に透明導電層（例えば、ＩＴＯ：Indium Tin Oxide）が一面に設けられた透明電極１１が設けられ、その透明電極１１の背面には隔壁１２内に表示媒体１３が閉じ込められた表示層１４が積層され、基板１７上に設けられた背面電極１６が、透明電極１１との間で表示層１４を挟み込むように粘着剤１５を介し表示層１４に積層され構成されている。
【０００６】
透明電極１１と背面電極１６には、端部に接続された配線（図示せず）からそれぞれ電圧が印加されるため、電位差が生じた部分の表示層の状態が変化し、この表示層の変化が透明電極１１側から視認されて情報が表示されることになる。（例えば、特許文献１参照）
【先行技術文献】
【特許文献】
【０００７】
【特許文献１】特開２００７−１１４３０２号公報
【発明の概要】
【発明が解決しようとする課題】
【０００８】
上述したように、透明電極１１に配線を電気的に接続させる必要があるが、表示層が全面的に透明電極に積層されている特性上、その接続に問題が起こりえる。
【０００９】
以下に、透明電極に配線を電気的に接続する方法とその問題点を説明する。図４は、図３に示した表示媒体１０に配線を接続する方法を示した図である。
【００１０】
図４（ａ）に示すように、まず透明電極１０１の一方の面の全面に、隔壁１０２に表示溶媒１０３が閉じ込められた表示層１０４が設けられ、更にその上に粘着層１０５が設けられた、表示用シート１００が用意される。表示用シート１００の全面に設けられた表示層１０４および粘着層１０５には、その一部を除去する為の除去領域１０８が設けられ、表示用シート１００から除去領域１０８が研磨されて除去される。
【００１１】
その結果、図４（ｂ）に示すように、除去領域１０８を除去された領域には、研磨にて除去しきれなかった表示層１０４の隔壁１０２の一部が隔壁残存部１０９として残ることになる。
【００１２】
その後、図４（ｃ）に示すように、基板１０７に設けられた透明電極制御配線１１０が、導電フィルム１１１を介して、隔壁残存部１０９が残る透明電極１０１上の除去領域１０８部分に貼り合わせられる。導電フィルム１１１は、熱圧によって加圧されて透明電極１０１に貼りつくことになるが、導電フィルムは完全に溶解して貼りつくわけではなく、隔壁残存部と透明電極に追従する形で貼りつくことになる為、接触面積が減ることにより、電気的接続が不完全になる場合がある。
【００１３】
本発明は、上述したような従来の技術が有する問題点に鑑みてなされたものであって、
透明電極と透明電極制御配線が不具合なく電気的に接続することができる表示媒体を提供することを目的とする。
【課題を解決するための手段】
【００１４】
上記目的を達成するために本発明は、
背面電極と、その背面電極に厚み方向に対向して配される透明電極と、背面電極と透明電極に挟まれた表示層を有し背面電極と透明電極間の電位差によって表示を切り替える表示媒体において、透明電極の視認側と反対の面側には表示層を除去した残存部が付着する表示層除去部が設けられ、表示層除去部には、流動性を具備する導電体を介して透明電極制御配線が配されていることを特徴とする。
【００１５】
上記のように構成された本発明においては、透明電極と透明電極制御配線が、接合後に固化しその形状が経時的に変化しないが、接着時に流動性を具備する導電体によって電気的に接合されているため、透明電極と透明電極制御配線が、その接続部により全面的に密着することにより、電気的接続が安定するとともに、電極や基材の厚み方向に物理的負荷がかかってクラックや剥離等の不良を発生させることない。
【００１６】
また、前記表示媒体の製造方法であって、
透明電極層の全面に表示層が積層された表示用シートの表示層の一部を除去して透明電極層が露出するように除去領域を形成する工程と、
除去領域に残された表示層の残存部を覆うように、流動性を具備する導電体を介し透明電極制御配線を設けて、透明電極層と透明電極制御配線を電気的に接続させる工程と、
を有することを特徴とする。
【００１７】
このような製造方法においては、表示層の残存部が残存していたとしても、透明電極層と透明電極制御配線を電気的に接続させることができる。
【発明の効果】
【００１８】
本発明によれば、透明電極と透明電極制御配線が、接合後に固化しその形状が経時的に変化しないが、接着時に流動性を具備する導電体によって電気的に接合されているため、透明電極と透明電極制御配線が、その接続部により全面的に密着することにより、電気的接続が安定するとともに、電極や基材の厚み方向に物理的負荷がかかってクラックや剥離等の不良を発生させることない表示媒体を提供することができる。
【図面の簡単な説明】
【００１９】
【図１】本発明の表示媒体の実施の一形態の製造工程とその製造工程によって製造された製品を示す図である。
【００２０】
【図２】表示媒体の他の実施例を説明するための図である。
【００２１】
【図３】従来技術である表示媒体の一例を示す図である。
【００２２】
【図４】図３に示した表示媒体の製造方法を説明するための図である。
【発明を実施するための形態】
【００２３】
以下に、本発明の実施の形態について図面を参照して説明する。図１は、本発明の表示媒体の実施の一形態の製造工程とその製造工程によって製造された製品を示す図である。
【００２４】
本形態は図１（ｃ）に示すように、まず透明電極２０１の一方の面の全面に、隔壁２０２に表示溶媒２０３が閉じ込められた表示層２０４が設けられ、更にその上に粘着層２０５が設けられた表示用シート２００が用意される。表示用シート２００の全面に設けられた表示層２０４および粘着層２０５には、その一部を除去する為の除去領域２０８が設けられ、表示用シート２００から除去領域２０８が研磨されて除去される。
【００２５】
その結果、図１（ｂ）に示すように、除去領域２０８を除去された領域には、研磨にて除去しきれなかった表示層２０４の隔壁２０２の一部が隔壁残存部２０９として残ることになる。
【００２６】
その後、図１（ｃ）に示すように、外部から押すことにより圧力が加えられ、基板２０７に設けられた透明電極制御配線２１０が、除去領域２０８に塗布された導電接着剤２１２を介して、隔壁残存部２０９が残る透明電極２０１上の除去領域２０８部分に貼り合わせられる。貼りあわせる際、導電接着剤２１２は流動性を有する為、隔壁残存部２０９の間に隙間無く入り込むことにより、透明電極２０１に対し、透明電極制御配線２１０および基板２０７が過剰に追従する形で貼りつくことなく貼りあわせることができる。
【００２７】
導電接着剤としては、変性シリコーン１０〜２０重量％、銀およびその水溶性化合物を７６〜８６重量％、シリカを０．１〜１重量％、パラフィンを１〜５重量％で配合されたものを好適に用いることができるが、接合後に固化し、その形状が経時的に変化しないが接着時に流動性を具備するその他公知の導電接着剤であれば、どのようなものでもかまわない。
【００２８】
その結果、透明電極２０１と透明電極制御配線２１０が、接合後にその形状が経時的に変化しないが接着時に流動性を具備する導電接着剤２１２によって電気的に接合されているため、透明電極２０１と透明電極制御配線２１０が、その接続部により全面的に密着することにより、電気的接続が安定するとともに、電極や基材の厚み方向に過剰に物理的負荷がかかってクラックや剥離等の不良を発生させることない表示媒体を提供することができる。
【００２９】
その後、表示層２０４と粘着層２０５が除去されなかった、除去領域２０８以外の領域の粘着剤２０５に、適宜必要な背面電極（不図示）を貼り付けて表示領域を形成し、表示媒体が完成する。
【００３０】
以下に、本発明の実施の他の形態について図面を参照して説明する。図２は、表示媒体の他の実施例を説明するための図である。
【００３１】
実施例の１つ目と異なる点は、基板３０７の上に、透明電極制御配線３１０だけではなく同時に背面電極３０６も形成されている点である。透明電極３０１に対し、導電接着剤３１２を介して透明電極制御配線３１０を貼り付ける際に、基板３０７上に設けられた背面電極を粘着層３０５に同時に貼り付けることにより、簡便に透明電極制御配線３１０と背面電極３０７を取り付けることができる。また、透明電極制御配線３１０と背面電極３０６の位置関係が確実に固定化される為、より精度の高い製品とすることができる。
【符号の説明】
【００３２】
表示媒体  １０，２０，３０
表示シート  １００，２００，３００
透明電極  １１，２０１，３０１
隔壁  １２，１０２
表示溶媒  １３，２０３
表示層  １４，１０４，２０４
粘着層  １５，１０５，２０５，３０５
背面電極  １６，３０６
基板  １０７，２０７，３０７
除去領域  １０８，２０８
隔壁残存部  １０９，２０９
透明電極制御配線  １１０，２１０，３１０
導電フィルム  １１１
導電接着剤  ２１２，３１２
【図１】
2015179156.tif 000003
【図２】
2015179156.tif 000004
【図３】
2015179156.tif 000005
【図４】
2015179156.tif 000006